(57)【要約】【課題】２つの母線にそれぞれ設置された２つの計器用変圧器のいずれか一方の１相が故障したときの故障相を検出することができる計器用変圧器故障相検出装置を提供する。【解決手段】故障相検出装置１０は、故障ＰＤ検出部１４によって第１および第２の計器用変圧器３1，３2のいずれか一方の故障が検出されると、第１および第２のＵ相、Ｖ相およびＷ相瞬時電圧Ｕ1，Ｖ1，Ｗ1，Ｕ2，Ｖ2，Ｗ2の差の絶対値を取ってＵ相、Ｖ相およびＷ相瞬時電圧差ΔＵ，ΔＶ，ΔＷを求め、求めたＵ相、Ｖ相およびＷ相瞬時電圧差ΔＵ，ΔＶ，ΔＷを１サイクル前Ｕ相、Ｖ相およびＷ相ピークピーク電圧Ｕp-p，Ｖp-p，Ｗp-pでそれぞれ割った値が所定値以上になった相を故障相と判定するとともに、割った値がいずれも所定値よりも小さい場合には零相を故障相と判定するための故障相検出部１５を具備する。【選択図】図１
2014060891.tif 000002
【特許請求の範囲】
【請求項１】
第１および第２の母線にそれぞれ設置された第１および第２の計器用変圧器（３1，３2）のいずれか一方の１相が故障したときの故障相を検出するための計器用変圧器故障相検出装置（１０）であって、
前記第１の計器用変圧器から出力される第１のＵ相、Ｖ相およびＷ相瞬時電圧（Ｕ1，Ｖ1，Ｗ1）と該第１の計器用変圧器から出力される第１の零相瞬時電圧（Ｚ1）とに基づいて該第１の計器用変圧器の故障を検出するとともに、前記第２の計器用変圧器から出力される第２のＵ相、Ｖ相およびＷ相瞬時電圧（Ｕ2，Ｖ2，Ｗ2）と該第２の計器用変圧器から出力される第２の零相瞬時電圧（Ｚ2）とに基づいて該第２の計器用変圧器の故障を検出するための計器用変圧器故障検出手段（１４）と、
該計器用変圧器故障検出手段によって前記第１および第２の計器用変圧器のいずれか一方の故障が検出されると、前記第１および第２のＵ相、Ｖ相およびＷ相瞬時電圧の差の絶対値を取ってＵ相、Ｖ相およびＷ相瞬時電圧差（ΔＵ，ΔＶ，ΔＷ）を求め、求めた該Ｕ相、Ｖ相およびＷ相瞬時電圧差を１サイクル前Ｕ相、Ｖ相およびＷ相ピークピーク電圧（Ｕp-p，Ｖp-p，Ｗp-p）でそれぞれ割った値が所定値以上になった相を故障相と判定するとともに、該割った値がいずれも該所定値よりも小さい場合には零相を故障相と判定するための故障相検出手段（１５）と、
を具備することを特徴とする、計器用変圧器故障相検出装置。
【請求項２】
前記第１および第２の母線が２重母線を構成し、
前記計器用変圧器故障検出手段が、前記第１および第２の母線を連絡する母線連絡遮断器（１）から入力される母線連絡遮断器状態信号（ＳCB）が該母線連絡遮断器の投入を示し、かつ、前記第１および第２の母線を連絡する第１および第２の母線連絡線路開閉器（２1，２2）から入力される第１および第２の母線連絡線路開閉器状態信号（ＳLS1，ＳLS2）が該第１および第２の母線連絡線路開閉器の投入を示している場合にのみ、前記第１および第２の計器用変圧器の故障を検出する、
ことを特徴とする、請求項１記載の計器用変圧器故障相検出装置。
【請求項３】
前記第１のＵ相、Ｖ相およびＷ相瞬時電圧に基づいて第1のＵ相、Ｖ相およびＷ相ピークピーク電圧（Ｕ1p-p，Ｖ1p-p，Ｗ1p-p）を１サイクルごとに求めるとともに、前記第２のＵ相、Ｖ相およびＷ相瞬時電圧に基づいて第２のＵ相、Ｖ相およびＷ相ピークピーク電圧（Ｕ2p-p，Ｖ2p-p，Ｗ2p-p）を１サイクルごとに求め、求めた該第1および第２のＵ相、Ｖ相およびＷ相ピークピーク電圧を１サイクルごとに比較して、該第1および第２のＵ相、Ｖ相およびＷ相ピークピーク電圧のうち大きい方を前記１サイクル前Ｕ相、Ｖ相およびＷ相ピークピーク電圧として記憶するためのピークピーク電圧検出手段（１３）をさらに具備することを特徴とする、請求項１または２記載の計器用変圧器故障相検出装置。
【請求項４】
前記計器用変圧器故障検出手段による前記第１および第２の計器用変圧器の故障検出結果および前記故障相検出手段による故障相判定結果を表示装置（２０）に表示させるための表示手段をさらに具備することを特徴とする、請求項１乃至３いずれかに記載の計器用変圧器故障相検出装置。
【発明の詳細な説明】
【技術分野】
【０００１】
本発明は、２つの母線にそれぞれ設置された２つの計器用変圧器のいずれか一方の１相が故障したときの故障相を検出するのに好適な計器用変圧器故障相検出装置に関する。
【背景技術】
【０００２】
従来、電力会社では、計器用変圧器（変電設備、ＰＤまたはＧＰＴ）に故障が生じた場合の対策として２重化していなければ計器用変圧器としての機能が果たせないため、高価なものとなっていた。
【０００３】
そのため、たとえば、下記の特許文献１に開示された計器用変成器では、Ｕ相の検出部または変換器が故障した際に、演算回路がＶ相の二次出力ＯVとＷ相の二次出力ＯWとの和を零相の二次出力ＯZから減算した値（＝ＯZ−（ＯV＋ＯW））をＵ相の二次出力ＯUとして出力することにより、優れた信頼度を確保しつつ検出部および変換器の２重化を避けるようにしている。
また、この計器用変成器では、Ｕ相、Ｖ相およびＷ相の二次出力の和（＝ＯU＋ＯV＋ＯW）と零相の二次出力ＯZとが一致しなければ警報手段が警報を出力することにより、計器用変成器のＵ相、Ｖ相、Ｗ相および零相のいずれが故障した場合でも迅速かつ容易に故障相の判定ができるようにしている。
【先行技術文献】
【特許文献】
【０００４】
【特許文献１】特開２００２−３５３０５１号公報
【発明の概要】
【発明が解決しようとする課題】
【０００５】
しかしながら、上記の特許文献１に開示された計器用変成器では、Ｕ相、Ｖ相およびＷ相の二次出力の和と零相の二次出力とを比較して両者が一致しない場合に警報を出力するだけであるため、Ｕ相、Ｖ相、Ｗ相および零相のいずれかが故障していることは検出することはできるが、Ｕ相、Ｖ相、Ｗ相および零相のどの相が故障しているかを検出することはできないという問題がある。
【０００６】
本発明の目的は、２つの母線にそれぞれ設置された２つの計器用変圧器のいずれか一方の１相が故障したときの故障相を検出することができる計器用変圧器故障相検出装置を提供することにある。
【課題を解決するための手段】
【０００７】
本発明の計器用変圧器故障相検出装置は、第１および第２の母線にそれぞれ設置された第１および第２の計器用変圧器（３1，３2）のいずれか一方の１相が故障したときの故障相を検出するための計器用変圧器故障相検出装置（１０）であって、前記第１の計器用変圧器から出力される第１のＵ相、Ｖ相およびＷ相瞬時電圧（Ｕ1，Ｖ1，Ｗ1）と該第１の計器用変圧器から出力される第１の零相瞬時電圧（Ｚ1）とに基づいて該第１の計器用変圧器の故障を検出するとともに、前記第２の計器用変圧器から出力される第２のＵ相、Ｖ相およびＷ相瞬時電圧（Ｕ2，Ｖ2，Ｗ2）と該第２の計器用変圧器から出力される第２の零相瞬時電圧（Ｚ2）とに基づいて該第２の計器用変圧器の故障を検出するための計器用変圧器故障検出手段（１４）と、該計器用変圧器故障検出手段によって前記第１および第２の計器用変圧器のいずれか一方の故障が検出されると、前記第１および第２のＵ相、Ｖ相およびＷ相瞬時電圧の差の絶対値を取ってＵ相、Ｖ相およびＷ相瞬時電圧差（ΔＵ，ΔＶ，ΔＷ）を求め、求めた該Ｕ相、Ｖ相およびＷ相瞬時電圧差を１サイクル前Ｕ相、Ｖ相およびＷ相ピークピーク電圧（Ｕp-p，Ｖp-p，Ｗp-p）でそれぞれ割った値が所定値以上になった相を故障相と判定するとともに、該割った値がいずれも該所定値よりも小さい場合には零相を故障相と判定するための故障相検出手段（１５）とを具備することを特徴とする。
ここで、  前記第１および第２の母線が２重母線を構成し、前記計器用変圧器故障検出手段が、前記第１および第２の母線を連絡する母線連絡遮断器（１）から入力される母線連絡遮断器状態信号（ＳCB）が該母線連絡遮断器の投入を示し、かつ、前記第１および第２の母線を連絡する第１および第２の母線連絡線路開閉器（２1，２2）から入力される第１および第２の母線連絡線路開閉器状態信号（ＳLS1，ＳLS2）が該第１および第２の母線連絡線路開閉器の投入を示している場合にのみ、前記第１および第２の計器用変圧器の故障を検出してもよい。
前記第１のＵ相、Ｖ相およびＷ相瞬時電圧に基づいて第1のＵ相、Ｖ相およびＷ相ピークピーク電圧（Ｕ1p-p，Ｖ1p-p，Ｗ1p-p）を１サイクルごとに求めるとともに、前記第２のＵ相、Ｖ相およびＷ相瞬時電圧に基づいて第２のＵ相、Ｖ相およびＷ相ピークピーク電圧（Ｕ2p-p，Ｖ2p-p，Ｗ2p-p）を１サイクルごとに求め、求めた該第1および第２のＵ相、Ｖ相およびＷ相ピークピーク電圧を１サイクルごとに比較して、該第1および第２のＵ相、Ｖ相およびＷ相ピークピーク電圧のうち大きい方を前記１サイクル前Ｕ相、Ｖ相およびＷ相ピークピーク電圧として記憶するためのピークピーク電圧検出手段（１３）をさらに具備してもよい。
前記計器用変圧器故障検出手段による前記第１および第２の計器用変圧器の故障検出結果および前記故障相検出手段による故障相判定結果を表示装置（２０）に表示させるための表示手段をさらに具備してもよい。
【発明の効果】
【０００８】
本発明の計器用変圧器故障相検出装置は、以下に示す効果を奏する。
（１）Ｕ相、Ｖ相およびＷ相瞬時電圧差を１サイクル前Ｕ相、Ｖ相およびＷ相ピークピーク電圧でそれぞれ割った値が所定値以上になった相を故障相と判定するとともに、割った値がいずれも所定値よりも小さい場合には零相を故障相と判定することにより、第１および第２の計器用変圧器のうち故障した方の故障相を速く検出することができる。
（２）２重化することなく計器用変圧器の信頼性を向上させることができる。
（３）２重化するよりもコストの低減を図ることができる。
（４）設備更新の制約の基準となる（延伸）。
【図面の簡単な説明】
【０００９】
【図１】本発明の一実施例による計器用変圧器故障相検出装置１０の構成を示す図である。
【図２】図１に示した故障ＰＤ検出部１４および故障相検出部１５の動作について説明するためのフローチャートである。
【図３】図１に示した故障ＰＤ検出部１４および故障相検出部１５の動作について説明するためのフローチャートである。
【図４】図１に示した故障ＰＤ検出部１４および故障相検出部１５の動作について説明するためのフローチャートである。
【図５】本発明の計器用変圧器故障相検出装置の特徴について説明するための図である。
【発明を実施するための形態】
【００１０】
上記の目的を、第１および第２の計器用変圧器のいずれか一方の故障が検出されると、Ｕ相、Ｖ相およびＷ相瞬時電圧差を１サイクル前Ｕ相、Ｖ相およびＷ相ピークピーク電圧でそれぞれ割った値が所定値以上になった相を故障相と判定するとともに、割った値がいずれも所定値よりも小さい場合には零相を故障相と判定することにより実現した。
【実施例１】
【００１１】
以下、本発明の計器用変圧器故障相検出装置の実施例について図面を参照して説明する。
本発明の計器用変圧器故障相検出装置は、図５に示す甲母線および乙母線（２重母線を構成する。）を連絡する母線連絡遮断器（母線連絡ＣＢ）１並びに第１および第２の母線連絡線路開閉器（第１および第２の母線連絡ＬＳ）２1，２2がすべて投入されているときには、甲母線に設置された第１の計器用変圧器（第１のＰＤ）３1から出力される第１のＵ相、Ｖ相、Ｗ相および零相瞬時電圧Ｕ1，Ｖ1，Ｗ1，Ｚ1（第１の計器用変圧器３1の二次出力）および乙母線に設置された第２の計器用変圧器（第２のＰＤ）３2から出力される第２のＵ相、Ｖ相、Ｗ相および零相瞬時電圧Ｕ2，Ｖ2，Ｗ2，Ｚ2（第２の計器用変圧器３2の二次出力）はほぼ等しいことに鑑みて、第1および第２の計器用変圧器３1，３2のうちのいずれか一方が故障した場合には、第１および第２の計器用変圧器３1，３2からそれぞれ出力される第１および第２のＵ相、Ｖ相およびＷ相瞬時電圧Ｕ1，Ｖ1，Ｗ1，Ｕ2，Ｖ2，Ｗ2の差の絶対値であるＵ相、Ｖ相およびＷ相瞬時電圧差ΔＵ（＝｜Ｕ1−Ｕ2｜），ΔＶ（＝｜Ｖ1−Ｖ2｜），ΔＷ（＝｜Ｗ1−Ｗ2｜）を求め、求めたＵ相、Ｖ相およびＷ相瞬時電圧差ΔＵ，ΔＶ，ΔＷを１サイクル前Ｕ相、Ｖ相およびＷ相ピークピーク電圧Ｕp-p，Ｖp-p，Ｗp-p（第１の計器用変圧器３1から１サイクル前に出力された第１のＵ相、Ｖ相およびＷ相ピークピーク電圧Ｕ1p-p，Ｖ1p-p，Ｗ1p-pおよび第２の計器用変圧器３1から１サイクル前に出力された第２のＵ相、Ｖ相およびＷ相ピークピーク電圧Ｕ2p-p，Ｖ2p-p，Ｗ2p-pのうちの大きい方）でそれぞれ割った値（＝ΔＵ／Ｕp-p，ΔＶ／Ｖp-p，ΔＷ／Ｗp-p）が所定値以上になった相（Ｕ相、Ｖ相またはＷ相）を故障相と判定し、この割った値がいずれも所定値よりも小さい場合には零相を故障相と判定することを特徴とする。
【００１２】
そのため、本発明の一実施例による計器用変圧器故障相検出装置１０（以下、「故障相検出装置１０」と称する。）は、図1に示すように、入力変換器１１と、アナログ入力部１２と、ピークピーク電圧検出部１３（以下、「Ｖp-p検出部１３」と称する。）と、故障計器用変圧器検出部１４（以下、「故障ＰＤ検出部１４」と称する。）と、故障相検出部１５と、表示部１６とを具備する。
【００１３】
ここで、入力変換器１１は、甲母線に設置された第１の計器用変圧器３1（図５参照）から入力される第１のＵ相、Ｖ相、Ｗ相および零相電圧並びに乙母線に設置された第２の計器用変圧器３2（図５参照）から入力される第２のＵ相、Ｖ相、Ｗ相および零相電圧のレベルをアナログ入力部１２の処理に適したレベルに変換するためのものである。
【００１４】
アナログ入力部１２は、バンドパスフィルタとサンプリングホールド回路とマルチプレクサ回路とアナログ／ディジタル変換器とを備え、入力変換器１１から入力されるアナログの第１のＵ相、Ｖ相、Ｗ相および零相電圧並びに第２のＵ相、Ｖ相、Ｗ相および零相電圧をディジタルの第１のＵ相、Ｖ相、Ｗ相および零相電圧並びに第２のＵ相、Ｖ相、Ｗ相および零相電圧に変換するためのものである。
【００１５】
Ｖp-p検出部１３は、アナログ入力部１２から入力される第１のＵ相、Ｖ相およびＷ相瞬時電圧Ｕ1，Ｖ1，Ｗ1に基づいて第1のＵ相、Ｖ相およびＷ相ピークピーク電圧Ｕ1p-p，Ｖ1p-p，Ｗ1p-pを１サイクルごとに求めるとともに、アナログ入力部１２から入力される第２のＵ相、Ｖ相およびＷ相瞬時電圧Ｕ2，Ｖ2，Ｗ2に基づいて第２のＵ相、Ｖ相およびＷ相ピークピーク電圧Ｕ2p-p，Ｖ2p-p，Ｗ2p-pを１サイクルごとに求め、求めた第1のＵ相、Ｖ相およびＷ相ピークピーク電圧Ｕ1p-p，Ｖ1p-p，Ｗ1p-pと求めた第２のＵ相、Ｖ相およびＷ相ピークピーク電圧Ｕ2p-p，Ｖ2p-p，Ｗ2p-pとを１サイクルごとに比較して、両者のうち大きい方を１サイクル前Ｕ相、Ｖ相およびＷ相ピークピーク電圧Ｕp-p，Ｖp-p，Ｗp-pとして記憶する。
【００１６】
故障ＰＤ検出部１４は、母線連絡遮断器１から入力される母線連絡遮断器状態信号ＳCB（母線連絡遮断器１が投入されているときにはローレベルの信号）と第１および第２の母線連絡線路開閉器２1，２2から入力される第１および第２の母線連絡線路開閉器状態信号ＳLS1，ＳLS2（第１および第２の母線連絡線路開閉器２1，２2が投入されているときにはローレベルの信号）とがすべてローレベルであると、アナログ入力部１２から入力される第１のＵ相、Ｖ相およびＷ相瞬時電圧Ｕ1，Ｖ1，Ｗ1のベクトル和の電圧を“３”で割った値（＝（Ｕ1＋Ｖ1＋Ｗ1）／３）とアナログ入力部１２から入力される第１の零相瞬時電圧Ｚ1（第１の計器用変圧器３1の三次出力）との差（＝（Ｕ1＋Ｖ1＋Ｗ1）／３−Ｚ1）を求め、求めた差が所定の範囲内（たとえば、−０．１ｖ以上０．１ｖ以下）に入っていないときには「第１の計器用変圧器３1が故障した」と判定するとともに、アナログ入力部１２から入力される第２のＵ相、Ｖ相およびＷ相瞬時電圧Ｕ2，Ｖ2，Ｗ2のベクトル和の電圧を“３”で割った値（＝（Ｕ2＋Ｖ2＋Ｗ2）／３）とアナログ入力部１２から入力される第２の零相瞬時電圧Ｚ2（第１の計器用変圧器３1の三次出力）との差（＝（Ｕ2＋Ｖ2＋Ｗ2）／３−Ｚ2）を求め、求めた差が所定の範囲内（たとえば、−０．１ｖ以上０．１ｖ以下）に入っていないときには「第２の計器用変圧器３2が故障した」と判定する。
【００１７】
故障相検出部１５は、故障ＰＤ検出部１４から入力される故障ＰＤ判定結果信号が「第１および第２の計器用変圧器３1，３2のうちのいずれか一方が故障した」旨を示している場合には、Ｖp-p検出部１３に記憶されている１サイクル前Ｕ相、Ｖ相およびＷ相ピークピーク電圧Ｕp-p，Ｖp-p，Ｗp-pを読み出すとともに、アナログ入力部１２から入力される第１および第２のＵ相、Ｖ相およびＷ相瞬時電圧Ｕ1，Ｖ1，Ｗ1，Ｕ2，Ｖ2，Ｗ2の差の絶対値を取ってＵ相、Ｖ相およびＷ相瞬時電圧差ΔＵ，ΔＶ，ΔＷを求め、求めたＵ相、Ｖ相およびＷ相瞬時電圧差ΔＵ，ΔＶ，ΔＷを１サイクル前Ｕ相、Ｖ相およびＷ相ピークピーク電圧Ｕp-p，Ｖp-p，Ｗp-pでそれぞれ割った値（＝ΔＵ／Ｕp-p，ΔＶ／Ｖp-p，ΔＷ／Ｗp-p）が所定値（たとえば、０．１）以上になった相を故障相と判定し、この割った値がいずれも所定値よりも小さい場合には零相を故障相と判定する。
【００１８】
表示部１６は、故障ＰＤ検出部１４から入力される故障ＰＤ検出結果信号および故障相検出部１５から入力される故障相判定結果信号に基づいて、故障ＰＤ検出部１４における検出結果および故障相検出部１５における判定結果を表示装置２０に表示させる。
【００１９】
次に、故障ＰＤ検出部１４および故障相検出部１５の動作について、図２〜図４に示すフローチャートを参照して説明する。
故障ＰＤ検出部１４は、母線連絡遮断器状態信号ＳCB並びに第１および第２の母線連絡線路開閉器状態信号ＳLS1，ＳLS2のレベルを監視し（ステップＳ１１）、母線連絡遮断器状態信号ＳCB並びに第１および第２の母線連絡線路開閉器状態信号ＳLS1，ＳLS2がすべてローレベル（ＳCB，ＳLS1，ＳLS2＝Ｌ）であると、第１のＵ相、Ｖ相およびＷ相瞬時電圧Ｕ1，Ｖ1，Ｗ1のベクトル和の電圧を“３”で割った値と第１の零相瞬時電圧Ｚ1との差（以下、「第１の差Δ1」と称する。Δ1＝（Ｕ1＋Ｖ1＋Ｗ1）／３−Ｚ1）および第２のＵ相、Ｖ相およびＷ相瞬時電圧Ｕ2，Ｖ2，Ｗ2のベクトル和の電圧を“３”で割った値と第２の零相瞬時電圧Ｚ2との差（以下、「第２の差Δ2」と称する。Δ2＝（Ｕ2＋Ｖ2＋Ｗ2）／３−Ｚ2）を求め、求めた第１および第２の差Δ1，Δ2が−０．１ｖ以上０．１ｖ以下の範囲内（−０．１ｖ≦Δ1，Δ2≦０．１ｖ）であるか否かを調べる（ステップＳ１２）。
【００２０】
その結果、故障ＰＤ検出部１４は、第１の差Δ1のみが−０．１ｖ以上０．１ｖ以下の範囲内にないと、「第１の計器用変圧器３1が故障した」と判定する（ステップＳ１３）。
故障ＰＤ検出部１４は、第２の差Δ2のみが−０．１ｖ以上０．１ｖ以下の範囲内にないと、「第２の計器用変圧器３2が故障した」と判定する（ステップＳ１４）。
故障ＰＤ検出部１４は、第１および第２の差Δ1，Δ2が共に−０．１ｖ以上０．１ｖ以下の範囲内にないと、「第１および第２の計器用変圧器３1，３2が共に故障した」と判定して、その旨を示す故障ＰＤ検出結果信号を表示部１６に出力して、その旨を表示装置２０に表示させる（ステップＳ１５）。
【００２１】
故障ＰＤ検出部１４は、ステップＳ１３で「第１の計器用変圧器３1が故障した」と判定すると、その旨を示す故障ＰＤ検出結果信号を故障相検出部１５および表示部１６に出力する。
【００２２】
この故障ＰＤ検出結果信号を受け取った故障相検出部１５は、１サイクル前Ｕ相、Ｖ相およびＷ相ピークピーク電圧Ｕp-p，Ｖp-p，Ｗp-pをＶp-p検出部１３から読み出すとともに、第１のＵ相、Ｖ相およびＷ相瞬時電圧Ｕ1，Ｖ1，Ｗ1と第２のＵ相、Ｖ相およびＷ相瞬時電圧Ｕ2，Ｖ2，Ｗ2との差の絶対値を取ってＵ相、Ｖ相およびＷ相瞬時電圧差ΔＵ，ΔＶ，ΔＷを求め、求めたＵ相、Ｖ相およびＷ相瞬時電圧差ΔＵ，ΔＶ，ΔＷを１サイクル前Ｕ相、Ｖ相およびＷ相ピークピーク電圧Ｕp-p，Ｖp-p，Ｗp-pでそれぞれ割った値が０．１以上であるか否かを調べる。
【００２３】
その結果、Ｕ相瞬時電圧差ΔＵを１サイクル前Ｕ相ピークピーク電圧Ｕp-pで割った値のみが０．１以上である（ΔＵ／Ｕp-p≧０．１、かつ、ΔＶ／Ｖp-p，ΔＷ／Ｗp-p＜０．１）と、故障相検出部１５は、「第１の計器用変圧器３1のＵ相が故障した」と判定して、その旨を示す故障相判定結果信号を表示部１６に出力して、その旨を表示装置２０に表示させる（図３のステップＳ２１，Ｓ２２）。
Ｖ相瞬時電圧差ΔＶを１サイクル前Ｖ相ピークピーク電圧Ｖp-pで割った値のみが０．１以上である（ΔＶ／Ｖp-p≧０．１、かつ、ΔＵ／Ｕp-p，ΔＷ／Ｗp-p＜０．１）と、故障相検出部１５は、「第１の計器用変圧器３1のＶ相が故障した」と判定して、その旨を示す故障相判定結果信号を表示部１６に出力して、その旨を表示装置２０に表示させる（ステップＳ２３，Ｓ２４）。
Ｗ相瞬時電圧差ΔＷを１サイクル前Ｗ相ピークピーク電圧Ｗp-pで割った値のみが０．１以上である（ΔＷ／Ｗp-p≧０．１、かつ、ΔＶ／Ｖp-p，ΔＵ／Ｕp-p＜０．１）と、故障相検出部１５は、「第１の計器用変圧器３1のＷ相が故障した」と判定して、その旨を示す故障相判定結果信号を表示部１６に出力して、その旨を表示装置２０に表示させる（ステップＳ２５，Ｓ２６）。
Ｕ相、Ｖ相およびＷ相瞬時電圧差ΔＵ，ΔＶ，ΔＷを１サイクル前Ｕ相、Ｖ相およびＷ相ピークピーク電圧Ｕp-p，Ｖp-p，Ｗp-pでそれぞれ割った値がすべて０．１以上でない（ΔＵ／Ｕp-p，ΔＶ／Ｖp-p，ΔＷ／Ｗp-p＜０．１）と、故障相検出部１５は、「第１の計器用変圧器３1の零相が故障した」と判定して、その旨を示す故障相判定結果信号を表示部１６に出力して、その旨を表示装置２０に表示させる（ステップＳ２７，Ｓ２８）。
【００２４】
同様に、故障ＰＤ検出部１４は、ステップＳ１３で「第２の計器用変圧器３2が故障した」と判定すると、その旨を示す故障ＰＤ検出結果信号を故障相検出部１５および表示部１６に出力する。
【００２５】
この故障ＰＤ検出結果信号を受け取った故障相検出部１５は、１サイクル前Ｕ相、Ｖ相およびＷ相ピークピーク電圧Ｕp-p，Ｖp-p，Ｗp-pをＶp-p検出部１３から読み出すとともに、第１のＵ相、Ｖ相およびＷ相瞬時電圧Ｕ1，Ｖ1，Ｗ1と第２のＵ相、Ｖ相およびＷ相瞬時電圧Ｕ2，Ｖ2，Ｗ2との差の絶対値を取ってＵ相、Ｖ相およびＷ相瞬時電圧差ΔＵ，ΔＶ，ΔＷを求め、求めたＵ相、Ｖ相およびＷ相瞬時電圧差ΔＵ，ΔＶ，ΔＷを１サイクル前Ｕ相、Ｖ相およびＷ相ピークピーク電圧Ｕp-p，Ｖp-p，Ｗp-pでそれぞれ割った値が０．１以上であるか否かを調べる。
【００２６】
その結果、Ｕ相瞬時電圧差ΔＵを１サイクル前Ｕ相ピークピーク電圧Ｕp-pで割った値のみが０．１以上である（ΔＵ／Ｕp-p≧０．１、かつ、ΔＶ／Ｖp-p，ΔＷ／Ｗp-p＜０．１）と、故障相検出部１５は、「第２の計器用変圧器３2のＵ相が故障した」と判定して、その旨を示す故障相判定結果信号を表示部１６に出力して、その旨を表示装置２０に表示させる（図４のステップＳ３１，Ｓ３２）。
Ｖ相瞬時電圧差ΔＶを１サイクル前Ｖ相ピークピーク電圧Ｖp-pで割った値のみが０．１以上である（ΔＶ／Ｖp-p≧０．１、かつ、ΔＵ／Ｕp-p，ΔＷ／Ｗp-p＜０．１）と、故障相検出部１５は、「第２の計器用変圧器３2のＶ相が故障した」と判定して、その旨を示す故障相判定結果信号を表示部１６に出力して、その旨を表示装置２０に表示させる（ステップＳ３３，Ｓ３４）。
Ｗ相瞬時電圧差ΔＷを１サイクル前Ｗ相ピークピーク電圧Ｗp-pで割った値のみが０．１以上である（ΔＷ／Ｗp-p≧０．１、かつ、ΔＶ／Ｖp-p，ΔＵ／Ｕp-p＜０．１）と、故障相検出部１５は、「第２の計器用変圧器３2のＷ相が故障した」と判定して、その旨を示す故障相判定結果信号を表示部１６に出力して、その旨を表示装置２０に表示させる（ステップＳ３５，Ｓ３６）。
Ｕ相、Ｖ相およびＷ相瞬時電圧差ΔＵ，ΔＶ，ΔＷを１サイクル前Ｕ相、Ｖ相およびＷ相ピークピーク電圧Ｕp-p，Ｖp-p，Ｗp-pでそれぞれ割った値がすべて０．１以上でない（ΔＵ／Ｕp-p，ΔＶ／Ｖp-p，ΔＷ／Ｗp-p＜０．１）と、故障相検出部１５は、「第２の計器用変圧器３2の零相が故障した」と判定して、その旨を示す故障相判定結果信号を表示部１６に出力して、その旨を表示装置２０に表示させる（ステップＳ３７，Ｓ３８）。
【００２７】
以上の説明では、故障相検出装置１０は、２重母線を構成する甲母線および乙母線にそれぞれ設置された第１および第２の計器用変圧器３1，３2のいずれか一方の１相が故障したときの故障相を検出したが、以下に示すような応用も可能である。
（１）６．６ｋＶ母線で２ＣＢ方式の場合に、第１および第２の配変２次遮断器が共に投入されていることを条件に、第１および第２の配変２次遮断器にそれぞれ接続された第１および第２の母線にそれぞれ設置された第１および第２の接地変圧器（ＧＰＴ）のいずれか一方の１相が故障したときの故障相を検出する。
（２）６．６ｋＶまたは２２ｋＶ電力系統において第１および第２の母線が母線連絡遮断器を介して接続されている場合に、母線連絡遮断器が投入されていることを条件に、第１および第２の母線にそれぞれ設置された第１および第２の接地変圧器のいずれか一方の１相が故障したときの故障相を検出する。
【符号の説明】
【００２８】
１  母線連絡遮断器
２1，２2  第１および第２の母線連絡線路開閉器
３1，３2  第１および第２の計器用変圧器
１０  故障相検出装置
１１  入力変換器
１２  アナログ入力部
１３  Ｖp-p電圧検出部
１４  故障ＰＤ検出部
１５  故障相検出部
１６  表示部
２０  表示装置
Ｕ1，Ｖ1，Ｗ1，Ｚ1  第１のＵ相、Ｖ相、Ｗ相および零相瞬時電圧
Ｕ2，Ｖ2，Ｗ2，Ｚ2  第２のＵ相、Ｖ相、Ｗ相および零相瞬時電圧
Ｕp-p，Ｖp-p，Ｗp-p  １サイクル前Ｕ相、Ｖ相およびＷ相ピークピーク電圧
Ｕ1p-p，Ｖ1p-p，Ｗ1p-p  第１のＵ相、Ｖ相およびＷ相ピークピーク電圧
Ｕ2p-p，Ｖ2p-p，Ｗ2p-p  第２のＵ相、Ｖ相およびＷ相ピークピーク電圧
ＳCB  母線連絡遮断器状態信号
ＳLS1，ＳLS2  第１および第２の母線連絡線路開閉器状態信号
ΔＵ，ΔＶ，ΔＷ  Ｕ相、Ｖ相およびＷ相瞬時電圧差
Δ1，Δ2  第１および第２の差
【図１】
2014060891.tif 000003
【図２】
2014060891.tif 000004
【図３】
2014060891.tif 000005
【図４】
2014060891.tif 000006
【図５】
2014060891.tif 000007